(57)【要約】【課題】接続を許可するための認証処理を簡易にする技術を提供する。【解決手段】受付部５０は、撮像装置に搭載されたモニタに表示された認証用の画像が他の撮像装置に撮像され、かつ他の撮像装置に接続された他の無線装置から、他の撮像装置が撮像した認証用の画像とともに、接続要求を受信する。取得部５２は、受信した認証用の画像と比較すべき参照用の画像を撮像装置から取得する。認証部５４は、取得した参照用の画像と、受信した認証用の画像とをもとに、他の無線装置との接続を認証する。応答部５６は、認証によって、他の無線装置の接続を許可した場合、他の無線装置へ接続許可を送信する。通信部３０は、接続許可を送信すると、他の無線装置との通信を実行する。【選択図】図４
2011172037.tif 000002
【特許請求の範囲】
【請求項１】
撮像装置に接続可能な無線装置であって、
撮像装置に搭載されたモニタに表示された認証用の画像が他の撮像装置に撮像され、かつ他の撮像装置に接続された他の無線装置から、他の撮像装置が撮像した認証用の画像とともに、接続要求を受信する受付部と、
前記受付部において受信した認証用の画像と比較すべき参照用の画像を撮像装置から取得する取得部と、
前記取得部において取得した参照用の画像と、前記受付部において受信した認証用の画像とをもとに、他の無線装置との接続を認証する認証部と、
前記認証部における認証によって、他の無線装置の接続を許可した場合、他の無線装置へ接続許可を送信する応答部と、
前記応答部が接続許可を送信すると、他の無線装置との通信を実行する通信部と、
を備えることを特徴とする無線装置。
【請求項２】
前記取得部は、参照用の画像として、撮像装置が既に撮像した画像を取得することを特徴とする請求項１に記載の無線装置。
【請求項３】
前記取得部において取得される参照用の画像は、変更されることを特徴とする請求項１または２に記載の無線装置。
【請求項４】
撮像装置に接続可能な無線装置であって、
他の撮像装置に搭載されたモニタに表示された認証用の画像を撮像した撮像装置から、認証用の画像を取得する取得部と、
前記取得部において取得した認証用の画像とともに、他の撮像装置に接続された他の無線装置へ接続要求を送信する要求部と、
前記要求部からの接続要求を受信した他の無線装置が、認証用の画像を使用した認証によって接続を許可した場合、他の無線装置からの接続許可を受信する受付部と、
前記受付部が接続許可を受信すると、他の無線装置との通信を実行する通信部と、
を備えることを特徴とする無線装置。
【発明の詳細な説明】
【技術分野】
【０００１】
本発明は、通信技術に関し、特に、画像データを通信する無線装置に関する。
【背景技術】
【０００２】
近年、さまざまな電子機器に対し、ネットワークへの接続が要請されつつある。特に、電子機器がデジタルカメラ等の撮像装置である場合、ネットワークに接続することにより、撮像した画像データの伝送が容易になる等の長所が得られる。しかしながら、ケーブルまたはファイバによってデジタルカメラが接続される場合、ケーブルを準備する手間が発生する。そこで、デジタルカメラのような携帯可能な小型電子機器においては無線接続方式が望まれる。また、無線接続を簡易に実現するために、アクセスポイントを必要としない、ピアツーピアのネットワークの構築が望まれる。
【０００３】
しかしながら、その場合においても、通信相手の外部機器を安全かつ容易に認識することが要求される。これに対応するために、デジタルカメラは、外部装置に関する人物の識別情報を記憶しており、撮像したデータから被写体情報を抽出した後に、被写体情報と識別情報とが一致した場合に無線接続を確立する（例えば、特許文献１参照）。
【先行技術文献】
【特許文献】
【０００４】
【特許文献１】特開２００９−１２４４３８号公報
【発明の概要】
【発明が解決しようとする課題】
【０００５】
通信装置間の認証処理は、簡易であることが望ましい。また、接続対象となる通信装置に関する人物の識別情報は、デジタルカメラに予め記憶されていないこともありえる。新たな識別情報の生成によって、デジタルカメラの処理量は増加する。デジタルカメラにおける処理量の増加を抑制するために、デジタルカメラによって既に取得されている情報を有効に利用することが望ましい。しかしながら、その場合、安全性の低下の抑制も要求される。
【０００６】
本発明はこうした状況に鑑みなされたものであり、その目的は、接続を許可するための認証処理を簡易にする技術を提供することにある。
【課題を解決するための手段】
【０００７】
上記課題を解決するために、本発明のある態様の無線装置は、撮像装置に接続可能な無線装置であって、撮像装置に搭載されたモニタに表示された認証用の画像が他の撮像装置に撮像され、かつ他の撮像装置に接続された他の無線装置から、他の撮像装置が撮像した認証用の画像とともに、接続要求を受信する受付部と、受付部において受信した認証用の画像と比較すべき参照用の画像を撮像装置から取得する取得部と、取得部において取得した参照用の画像と、受付部において受信した認証用の画像とをもとに、他の無線装置との接続を認証する認証部と、認証部における認証によって、他の無線装置の接続を許可した場合、他の無線装置へ接続許可を送信する応答部と、応答部が接続許可を送信すると、他の無線装置との通信を実行する通信部と、を備える。
【０００８】
本発明の別の態様もまた、無線装置である。この装置は、撮像装置に接続可能な無線装置であって、他の撮像装置に搭載されたモニタに表示された認証用の画像を撮像した撮像装置から、認証用の画像を取得する取得部と、取得部において取得した認証用の画像とともに、他の撮像装置に接続された他の無線装置へ接続要求を送信する要求部と、要求部からの接続要求を受信した他の無線装置が、認証用の画像を使用した認証によって接続を許可した場合、他の無線装置からの接続許可を受信する受付部と、受付部が接続許可を受信すると、他の無線装置との通信を実行する通信部と、を備える。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、接続を許可するための認証処理を簡易にできる。
【図面の簡単な説明】
【００１１】
【図１】本発明の実施例に係る通信システムの構成を示す図である。
【図２】図１の撮像装置の構成を示す図である。
【図３】図１の第１無線装置の構成を示す図である。
【図４】図１の第２無線装置の構成を示す図である。
【図５】図１の通信システムによる通信手順を示すシーケンス図である。
【図６】図３の第１無線装置による送信手順を示すフローチャートである。
【図７】図４の第２無線装置による受信手順を示すフローチャートである。
【発明を実施するための形態】
【００１２】
本発明を具体的に説明する前に、概要を述べる。本発明の実施例は、通信機能を搭載したふたつのデジタルカメラによって構成される通信システムに関する。ここでは、デジタルカメラのうちの一方（以下、「第１デジタルカメラ」という）が、デジタルカメラの他方（以下、「第２デジタルカメラ」という）に対して接続を要求し、第２デジタルカメラが第１デジタルカメラを認証する場合を想定する。認証がなされると、第１デジタルカメラは、画像データを第２デジタルカメラへ送信する。前述のごとく、認証処理を簡易に実行し、かつ安全性の低下を抑制するために、通信システムでは次の処理が実行される。
【００１３】
接続処理を開始する前に、第２デジタルカメラは、既に撮像した画像データをモニタに表示する。第１デジタルカメラは、第２デジタルカメラのモニタに表示された画像データを撮像する。第１デジタルカメラは、第２デジタルカメラへ、接続要求を送信する。その際、第１デジタルカメラは、撮像した画像データも送信する。第２デジタルカメラは、受けつけた画像データと自らの画像データが近ければ、第１デジタルカメラに接続を許可する。その後、第２デジタルカメラは、第１デジタルカメラに接続の許可を通知し、第１デジタルカメラは、第２デジタルカメラに画像データを送信する。
【００１４】
図１は、本発明の実施例に係る通信システム１００の構成を示す。通信システム１００は、撮像装置１０と総称される第１撮像装置１０ａ、第２撮像装置１０ｂ、無線装置１２と総称される第１無線装置１２ａ、第２無線装置１２ｂを含む。第１撮像装置１０ａと第１無線装置１２ａとの組合せが、前述の第１デジタルカメラに相当し、第２撮像装置１０ｂと第２無線装置１２ｂとの組合せが、前述の第２デジタルカメラに相当する。無線装置１２は、撮像装置１０に内蔵されていてもよく、図１のごとく、ケーブル等によって撮像装置１０に接続されていてもよい。ここでは、一例として、後者の構成であるとする。
【００１５】
第１撮像装置１０ａは、画像を撮像し、撮像した画像のデータを記憶する。以下では、画像そのもの、画像のデジタルデータを区別せずに「画像データ」という。また、画像データは、動画像であってもよく、静止画像であってもよいが、ここでは、説明を明瞭にするために後者を説明の対象とする。また、画像データは、サムネイル画像のように、撮像した画像に所定の処理を施した画像であってもよい。第１撮像装置１０ａは、画像データを第１無線装置１２ａへ出力する。
【００１６】
第１無線装置１２ａは、第１撮像装置１０ａに接続可能であり、前述のごとく、ケーブルで第１撮像装置１０ａに接続されている。第１無線装置１２ａは、無線ＬＡＮ等に対応した通信機能を有し、第２無線装置１２ｂとの間で通信を実行する。一般的に、第１無線装置１２ａと第２無線装置１２ｂとは同一の構成であるが、ここでは、説明を明瞭にするために、画像データの送信側を第１無線装置１２ａとし、画像データの受信側を第２無線装置１２ｂとする。
【００１７】
第１無線装置１２ａは、画像データをパケット信号に格納し、パケット信号を第２無線装置１２ｂへ送信する。第２無線装置１２ｂは、第１無線装置１２ａからのパケット信号を受信する。第２無線装置１２ｂは、パケット信号から画像データを抽出し、画像データを第２撮像装置１０ｂへ出力する。前述のごとく、第２無線装置１２ｂと第２撮像装置１０ｂとは、ケーブルにて接続されている。第２撮像装置１０ｂは、第２無線装置１２ｂから画像データを受けつけ、画像データを記憶する。また、第２撮像装置１０ｂは、画像データを表示する。
【００１８】
以上のように、第１無線装置１２ａと第２無線装置１２ｂとを介して、第１撮像装置１０ａから第２撮像装置１０ｂへ画像データが伝送される。ここで、通信システム１００のセキュリティを向上させるために、通信に先立って、第１無線装置１２ａと第２無線装置１２ｂとの間で認証処理がなされるべきである。ここでは、第１無線装置１２ａが接続を要求し、第２無線装置１２ｂが接続を許可するものとする。また、認証処理におけるユーザの処理は簡易である方が望ましい。
【００１９】
図２は、撮像装置１０の構成を示す。撮像装置１０は、撮像部２０、モニタ２２、記憶部２４、制御部２６、ＩＦ部２８を含む。撮像部２０は、動画像や静止画像を生成する。生成された動画像や静止画像が、前述の画像データに相当する。撮像部２０は、画像データを制御部２６へ出力する。
【００２０】
記憶部２４は、制御部２６から、撮像部２０において撮像した画像データを受けつける。記憶部２４は、画像データを記憶する。画像データは、デジタルデータであるので、記憶部２４は、ハードディスク等の記憶媒体である。記憶部２４は、制御部２６からの指示に応じて、画像データを出力する。モニタ２２は、制御部２６からの指示に応じて、記憶部２４において記憶された画像データを受けつけ、画像データを表示する。モニタ２２は、例えば、液晶ディスプレイや有機ＥＬディスプレイにて構成される。
【００２１】
ＩＦ部２８は、図示しない無線装置１２を接続する。また、ＩＦ部２８は、無線装置１２との間で通信を実行する。例えば、ＩＦ部２８は、制御部２６を介して、記憶部２４において記憶した画像データを無線装置１２へ出力する。また、ＩＦ部２８は、無線装置１２から、画像データを受けつけ、画像データを制御部２６へ出力する。さらに、ＩＦ部２８は、無線装置１２からの情報を受けつけ、情報を制御部２６へ出力する。ＩＦ部２８は、制御部２６からの情報を受けつけ、情報を無線装置１２へ出力する。ＩＦ部２８は、例えば、ＵＳＢに対応する。
【００２２】
制御部２６は、撮像装置１０の動作を制御する。制御部２６は、撮像部２０やＩＦ部２８からの画像データを受けつけ、記憶部２４に画像データを記憶させる。また、制御部２６は、記憶部２４からの画像データを受けつけ、画像データをモニタ２２に表示させたり、画像データをＩＦ部２８から出力させたりする。画像データをモニタ２２に表示させるための指示は、例えば、ＩＦ部２８を介して、無線装置１２から受けつけている。
【００２３】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２４】
図３は、第１無線装置１２ａの構成を示す。第１無線装置１２ａは、通信部３０、接続処理部３２、ＩＦ部３４、制御部３６を含む。また、接続処理部３２は、取得部４０、要求部４２、受付部４４、許可部４６を含む。前述のごとく、無線装置１２は、第１無線装置１２ａの構成と、第２無線装置１２ｂの構成とを含むが、ここでは、接続を要求するとともに、画像データを送信する機能を中心に説明する。
【００２５】
通信部３０は、無線ＬＡＮの通信機能を実行する。通信部３０は、接続処理部３２またはＩＦ部３４から、所定の情報を受けつけ、所定の情報が格納されたパケット信号を生成する。通信部３０は、パケット信号に対して、変調処理、ＤＡ変換処理、周波数変換処理、増幅処理等を実行し、その結果のパケット信号（以下、これも「パケット信号」という）をアンテナから図示しない第２無線装置１２ｂへ送信する。また、通信部３０は、図示しない第２無線装置１２ｂからのパケット信号をアンテナで受信する。通信部３０は、パケット信号に対して、周波数変換処理、ＡＤ変換処理、復調処理を実行し、復調結果としてのパケット信号を生成する。通信部３０は、パケット信号から所定の情報を抽出する。通信部３０は、所定の情報を接続処理部３２またはＩＦ部３４へ出力する。
【００２６】
ＩＦ部３４は、図２の撮像装置１０のうち、ＩＦ部２８を接続する。ＩＦ部３４は、ＩＦ部２８と同様にＵＳＢに対応する。ＩＦ部３４は、ＩＦ部２８から画像データや情報を受けつけ、画像データを通信部３０へ出力し、情報を接続処理部３２へ出力する。また、ＩＦ部３４は、ＩＦ部２８へ画像データや情報を出力する。
【００２７】
第１撮像装置１０ａから第２撮像装置１０ｂへの接続をユーザが希望するとき、ユーザは、第２撮像装置１０ｂを操作することによって、第２撮像装置１０ｂの制御部２６は、記憶部２４に記憶された画像データからいずれかを抽出し、モニタ２２に画像データ（以下、「認証用の画像データ」という）を表示させる。ここでの操作が、ユーザからの接続要求の指示に相当する。接続要求の指示を受けつけるために、図２の撮像装置１０には、図示しないボタンが備えられる。第１撮像装置１０ａの撮像部２０は、第２撮像装置１０ｂに搭載されたモニタ２２に表示された認証用の画像データを撮像する。ＩＦ部２８は、接続要求の指示とともに、撮像部２０によって撮像された認証用の画像データを出力する。
【００２８】
取得部４０は、ＩＦ部３４を介して、第１撮像装置１０ａが撮像した認証用の画像データを取得する。また、取得部４０は、ＩＦ部３４を介して、接続要求の指示を受けつける。取得部４０は、接続要求の指示とともに、取得した認証用の画像データを要求部４２へ出力する。要求部４２は、取得部４０からの認証用の画像データを受けつけると、図示しない第２無線装置１２ｂに接続を要求するための信号（以下、「接続要求」という）を生成する。ここで、要求部４２は、取得部４０から受けつけた認証用の画像データを接続要求に含める。要求部４２は、接続要求を通信部３０へ出力する。
【００２９】
通信部３０は、認証用の画像データとともに接続要求が含まれたパケット信号を第２無線装置１２ｂへ送信する。第２無線装置１２ｂが、第１無線装置１２ａからのパケット信号を受信すると、接続要求に対して、認証用の画像データを使用した認証を実行する。認証処理については、後述する。認証処理によって、第２無線装置１２ｂが第１無線装置１２ａの接続を許可した場合、第２無線装置１２ｂは、接続の許可を示した信号（以下、「接続許可」という）が含まれたパケット信号を第１無線装置１２ａへ送信する。
【００３０】
通信部３０は、第２無線装置１２ｂからのパケット信号を受信し、接続許可を受付部４４へ出力する。受付部４４は、通信部３０から、第２無線装置１２ｂによる接続許可を受けつける。受付部４４は、接続許可を受けつけると、第１無線装置１２ａと第２無線装置１２ｂとの接続を認識し、許可部４６へ通信開始を通知する。許可部４６は、受付部４４からの通知を受けつけると、通信部３０に対して、第２無線装置１２ｂとの通信を許可する。通信部３０は、許可部４６によって通信が許可されると、第２無線装置１２ｂとの通信を実行する。具体的に説明すると、ＩＦ部３４は、図示しない第１撮像装置１０ａからの画像データを受けつけ、通信部３０へ出力する。通信部３０は、画像データが含まれたパケット信号を第２無線装置１２ｂへ送信する。
【００３１】
図４は、第２無線装置１２ｂの構成を示す。第２無線装置１２ｂは、通信部３０、接続処理部３２、ＩＦ部３４、制御部３６を含む。また、接続処理部３２は、受付部５０、取得部５２、認証部５４、応答部５６、許可部５８を含む。前述のごとく、無線装置１２は、第１無線装置１２ａの構成と、第２無線装置１２ｂの構成とを含むが、ここでは、接続を許可するとともに、画像データを受信する機能を中心に説明する。
【００３２】
前述のごとく、接続処理を開始する際に、第２撮像装置１０ｂのモニタ２２には、記憶部２４に記憶された認証用の画像データが表示されている。通信部３０、ＩＦ部３４、制御部３６は、図３と同様である。通信部３０は、図示しない第１無線装置１２ａからのパケット信号を受信する。通信部３０は、パケット信号から接続要求を抽出して、接続要求を受付部５０へ出力する。受付部５０は、通信部３０からの接続要求を受けつける。前述のごとく、接続要求には、図示しない第１撮像装置１０ａが撮像した認証用の画像データが含まれている。受付部５０は、認証部５４へ認証用の画像データを出力する。また、受付部５０は、第２無線装置１２ｂに接続された第２撮像装置１０ｂから参照用の画像データを取得することを取得部５２に指示する。
【００３３】
取得部５２は、受付部５０からの指示を受けつけると、ＩＦ部３４を介して、第２撮像装置１０ｂに対して、参照用の画像データの出力を要求する。参照用の画像データとは、受付部５０において受けつけた認証用の画像データと比較すべき画像であって、第２撮像装置１０ｂが表示した認証用の画像データと同一の画像データである。参照用の画像データとして、第２撮像装置１０ｂが既に撮像した画像データであって、かつ第２撮像装置１０ｂの記憶部２４に記憶された画像データが使用される。また、記憶部２４に記憶された複数の画像データのうち、いずれかの画像データが変更されながら参照用の画像データとされてもよい。その場合、参照用の画像データの変更にあわせて、認証用の画像データも変更される。その後、取得部５２は、ＩＦ部３４を介して、第２撮像装置１０ｂから、参照用の画像データを取得する。取得部５２は、参照用の画像データを認証部５４へ出力する。
【００３４】
認証部５４は、取得部５２において取得した参照用の画像データと、受付部５０において受けつけた認証用の画像データとを入力する。認証部５４は、参照用の画像データと認証用の画像データとをもとに、第１無線装置１２ａに対する認証処理を実行する。具体的に説明すると、公知の技術を使用して、参照用の画像データと認証用の画像データとの差を導出する。差がしきい値よりも小さければ、認証部５４は、第１無線装置１２ａの接続を許可する。一方、差がしきい値以上であれば、認証部５４は、第１無線装置１２ａの接続を拒否する。認証部５４は、認証結果、つまり接続の許可か、接続の拒否を応答部５６および許可部５８へ出力する。
【００３５】
応答部５６は、認証部５４からの認証結果を受けつける。認証結果が接続の許可である場合、応答部５６は、第１無線装置１２ａの接続を許可するための信号（以下、「接続許可」という）を生成する。一方、認証結果が接続の拒否である場合、応答部５６は、第１無線装置１２ａの接続を拒否するための信号（以下、「接続拒否」という）を生成する。応答部５６は、接続許可あるいは接続拒否を通信部３０へ出力する。通信部３０は、接続許可あるいは接続拒否が含まれたパケット信号を第１無線装置１２ａへ送信する。
【００３６】
許可部５８は、認証部５４からの認証結果を受けつける。認証結果が接続の許可である場合、許可部５８は、通信部３０に対して第１無線装置１２ａとの通信を許可する。一方、認証結果が接続の拒否である場合、許可部５８は、通信部３０に対して第１無線装置１２ａとの通信を禁止する。通信部３０は、接続許可が含まれたパケット信号を送信した後、第１無線装置１２ａとの通信を実行する。つまり、通信部３０は、第１撮像装置１０ａから、画像データが含まれたパケット信号を受信し、画像データをＩＦ部３４へ出力する。ＩＦ部３４は、画像データを第２撮像装置１０ｂへ出力する。
【００３７】
以上の構成による通信システム１００の動作概要を説明する。図５は、通信システム１００による通信手順を示すシーケンス図である。第２撮像装置１０ｂは、認証用の画像データを表示する（Ｓ１０）。第１撮像装置１０ａは、認証用の画像データを撮像する（Ｓ１２）。第１撮像装置１０ａは、第１無線装置１２ａへ認証用の画像データを出力する（Ｓ１４）。第１無線装置１２ａは、認証用の画像データが含まれた接続要求を生成する（Ｓ１６）。第１無線装置１２ａは、第２無線装置１２ｂへ接続要求を送信する（Ｓ１８）。第２撮像装置１０ｂは、第２無線装置１２ｂへ参照用の画像データを通知する（Ｓ２０）。第２無線装置１２ｂは、認証用の画像データと参照用の画像データをもとに認証する（Ｓ２２）。第２無線装置１２ｂは、接続許可を生成する（Ｓ２４）。第２無線装置１２ｂは、第１無線装置１２ａへ接続許可を送信する（Ｓ２６）。第１撮像装置１０ａは、第１無線装置１２ａへ画像データを出力し（Ｓ２８）、第１無線装置１２ａは、第２無線装置１２ｂへ画像データを送信し（Ｓ３０）、第２無線装置１２ｂは、第２撮像装置１０ｂへ画像データを出力する（Ｓ３２）。
【００３８】
図６は、第１無線装置１２ａによる送信手順を示すフローチャートである。取得部４０は、ＩＦ部３４を介して、第１撮像装置１０ａから、撮像した認証用の画像データを取得する（Ｓ４０）。要求部４２は、通信部３０を介して、認証用の画像データが含まれた接続要求を第２無線装置１２ｂに送信する（Ｓ４２）。受付部４４が第２無線装置１２ｂから接続許可を受信すれば（Ｓ４４のＹ）、通信部３０は、画像データを第２無線装置１２ｂに送信する（Ｓ４６）。受付部４４が接続許可を受信しなければ（Ｓ４４のＮ）、処理は終了される。
【００３９】
図７は、第２無線装置１２ｂによる受信手順を示すフローチャートである。受付部５０は、通信部３０を介して、第１無線装置１２ａから接続要求を受信する（Ｓ５０）。取得部５２は、ＩＦ部３４を介して、第２撮像装置１０ｂから参照用の画像データを取得する（Ｓ５２）。認証部５４において、認証用の画像データと参照用の画像データとの差がしきい値よりも小さければ（Ｓ５４のＹ）、応答部５６は、通信部３０を介して、接続許可を第１無線装置１２ａに送信する（Ｓ５６）。通信部３０は、第１無線装置１２ａから画像データを受信する（Ｓ５８）。一方、認証部５４において、差がしきい値よりも小さくなければ（Ｓ５４のＮ）、処理は終了される。
【００４０】
本発明の実施例によれば、撮像装置によって表示された認証用の画像データと、認証用の画像データと同一の参照用の画像データを認証に使用するので、接続のための認証処理を簡易にできる。また、認証用の画像データおよび参照用の画像データとして、撮像装置に既に記憶されている画像データを使用するので、新たに画像データを作成する処理を削減できる。また、新たに画像データを作成する処理が削減されるので、処理量を減少できるとともに、ユーザの手間を少なくできる。また、認証用の画像データおよび参照用の画像データを変更するので、安全性を向上できる。
【００４１】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４２】
本発明の実施例において、第２撮像装置１０ｂが表示した画像を第１撮像装置１０ａが撮像し、第１無線装置１２ａが送信した接続要求をもとに、第２無線装置１２ｂが認証を実行している。しかしながらこれに限らず例えば、第２無線装置１２ｂが送信した接続要求をもとに、第１無線装置１２ａが認証を実行してもよい。その際、第１撮像装置１０ａが表示した画像を第２撮像装置１０ｂが撮像する。つまり、第１撮像装置１０ａと第１無線装置１２ａとの組合せと、第２撮像装置１０ｂと第２無線装置１２ｂとの組合せとの役割が逆になる。さらに、以上の処理の後、第１無線装置１２ａと第２無線装置１２との間で、認証結果を交換し、両方の認証結果において接続が許可されている場合に、第１無線装置１２ａと第２無線装置１２とは、接続を許可してもよい。これとは別に、第２無線装置１２ｂが認証した結果を第１無線装置１２ａへ送信し、第１無線装置１２ａは、認証要求を送信した後に受信した認証結果によって、第２無線装置１２ｂをそのまま認証してもよい。本変形例によれば、第１無線装置１２ａと第２無線装置１２ｂとの双方向の通信を実現できる。
【符号の説明】
【００４３】
１０  撮像装置、  １２  無線装置、  ２０  撮像部、  ２２  モニタ、  ２４  記憶部、  ２６  制御部、  ２８  ＩＦ部、  ３０  通信部、  ３２  接続処理部、  ３４  ＩＦ部、  ３６  制御部、  ４０  取得部、  ４２  要求部、  ４４  受付部、  ４６  許可部、  ５０  受付部、  ５２  取得部、  ５４  認証部、  ５６  応答部、  ５８  許可部、  １００  通信システム。
【図１】
2011172037.tif 000003
【図２】
2011172037.tif 000004
【図３】
2011172037.tif 000005
【図４】
2011172037.tif 000006
【図５】
2011172037.tif 000007
【図６】
2011172037.tif 000008
【図７】
2011172037.tif 000009